(57)【要約】      （修正有）【課題】香料入り蛍光カラー液発射銃は、安全装置を兼ねた発射レバーを回動引き起こすだけで上記香料入り蛍光カラー液が発射でき、香料入り蛍光カラー液の連続噴射により、確実に命中マーキングされ犯人等の追跡検挙に効果を発揮する。【解決手段】銃本体は前筒と後筒からなり、前筒の一端と後筒の一端を螺子により接合し前筒の他端には香料入り蛍光カラー液容器の収納口であって噴射口を有する蓋を備え内に香料入り蛍光カラー液器を蔵し、後外筒内前部に装着した固定筒の中心部には前後共に尖端状にして両方向に貫通する穴を有するセンターピンが同心的に摺動自在に保持されており、外周に設置された後外筒の突起を支軸にした発射レバーを回動引き起こすことにより発射レバーの一端と接続するスライド筒が前進し、センターピンの一端がガスボンベを、他端が香料入り蛍光カラー液器の後部を開口し、同時に香料入り蛍光カラー液器先端も開口され噴射が行われる。【選択図】図１
2012137238.tif 000002
【特許請求の範囲】
【請求項１】
銃本体は、前外筒と後外筒からなり、前外筒の一端と後外筒の一端を螺により接合し、前外筒の他端には、香料入り蛍光カラー液容器の収納口であって香料入り蛍光カラー液噴射口を有する蓋を備え、後外筒の他端には、エアーボンベの収納室を有しエアーボンベの収納室の前方にスライド筒を備え、スライド筒の内部にはセンターピンを有し、そのセンターピンの後方と、前方には、尖端の端部であると共に両方向に貫通する穴を有し、前記スライド筒の内側には固定筒を備え、この固定筒の中心部にはセンターピンが同心的に、摺動自在に保持されており、さらに、センターピンの外周にはストッパーが備えられており、後外筒の左右両外側に設けた突起に支えられた発射レバーを前記突起を支軸にして回動引き起こすことにより発射が行われ、発射レバーを戻す事により発射が完了する香料入りカラー液噴射銃。
【発明の詳細な説明】
【技術分野】
【０００１】
本発明は、香料入り蛍光カラー液を瞬時に発射出来、小形軽量で常時携行可能であり、設置しやすく、突然の変事にも最適に使用する事が出来、香料カラー液を付着させて犯人等の識別が迅速かつ確実に行え、香料入りのため警察犬の追跡が容易になり、犯人検挙に最大の効果を発揮できる香料入り蛍光カラー液発射銃。
【背景技術】
【０００２】
従来、発射用筒に取り付けた収納庫内に、複数個の蛍光カラーボールを収納し、この蛍光カラーボールを順次引き金に系脱可能に連係するスプリングの前部に繰り出した後に引き金を引くことにより前記スプリングのバネ力を利用して蛍光カラーボールを発射し、破裂させてカラーボール内の塗料を犯人や逃走車に付着させ犯人等の識別を行い、追跡と検挙に役立たせる警棒兼用の蛍光カラーペイント容器連続発射銃（例えば特許文献１参照）特開２００３−１４８８９５があった。
（発明の名称）警棒兼用の蛍光カラーペイント容器連続発射銃である。
前記発明の警棒兼用の蛍光カラーペイントの容器連続発射銃は、１発目と、２発目のカラーボールの射撃を、簡単操作にて、時間と手間をかけずに迅速かつ確実に行え、犯人や逃走車両にカラーボールを命中させ、犯人等の追跡と検挙に役立たせる、となっている。
【０００３】
しかしながら、特許文献１に記載の上記警棒兼用の蛍光カラーペイント容器連続発射銃は、蛍光カラーボール射撃するのに、収納庫内に収納した複数個の蛍光カラーボールを１発づつスプリングの前部に繰り出した後に、引き金を引く事により前記スプリングのばね力を利用して蛍光カラーボールを発射用筒から発射する構造である。そして、収納庫内に収納している２発目の蛍光カラーボールを発射させるのには、受機引き戻し用カバーを引いてスプリングを元に戻した後に、１発目と同様の前述の操作を繰り返して引き金を引くことにより２発目、及び以後の蛍光カラーボールの射撃を行うものであるので射撃操作に多くの手間と時間がかかっていた。
【０００４】
香料入り蛍光カラー液発射銃、特願２０１０−１５０１９９が提案されている。この香料入り蛍光カラー液発射銃は、前ハンドルと後ハンドルの２本のハンドルを握り締める事により蛍光カラー液の瞬間の発射が可能であり、単発型でないために命中率も非常に高い。
然し乍がら２本のハンドル等のため常時携行に不便があった。
【先行技術文献】
【特許文献】
【０００５】
【特許文献１】特開２００３−１４８８９５号公報
【特許文献２】特願２０１０−１５０１９９号
【発明の概要】
【発明が解決しようとする課題】
【０００６】
しかしながら特許文献２００３−１４８８９５に記載の警棒兼用の蛍光カラーペイント容器連続発射銃は、射撃操作に複数の手間がかかり、多くの時間がかかった。又、全体に大形で常時携行に不便があった。
【０００７】
従って、事に応じて間髪を入れず発射するのに限界があり、瞬間の使用に間に合わず犯人等を逃走させてしまう懸念があった。
【０００８】
蛍光カラーボールを射撃出来ても、瞬間の発射では単体のボールを命中させる事は確立の低い物であった。
また特願２０１０−１５０１９９香料入り蛍光カラー液発射銃は直ちに発射でき、命中率も高いが２本のハンドルがあり携行に不便があった。
【０００９】
本発明は、上記従来の欠点を解決し、事に応じて瞬間に香料入り蛍光カラー液を発射し、目視しながら連続噴射により確実に動く犯人、車に命中させ、香料入りカラー液体を照射マーキングすると共に、香料により警察犬の追跡を容易にし、犯人等の検挙に役立つものである。また発射後万一危急の時には警棒として防御の役割を果たすものである。
【００１０】
本発明は、上記０００８に記した好結果を得ると共に、本発明の広範な普及により検挙率の確実な上昇が見込まれる。又、本発明により、犯罪の抑制に寄与する事を得るを目的とするものである。
【課題を解決するための手段】
【００１１】
本発明は、上記課題に鑑みなされた物であり、請求項、１に記載の発明は、香料入り蛍光カラー液器、５−７を銃内前部に有し、高圧気体ボンベ、３−３のガスボンベを銃内後部に有し、後外筒外部の左右両側に設けられた突起eに支えられた発射レバー７−１を備え、一端のハサミバネnを前外筒後部に安全装置として暫定的に固定設置し、他端を引板８−５によりスライド筒８−１と支軸ピンd,eにて接続し、発射レバー７−１を回動引き起こす事によりスライド筒８−１が前方にスライドし、スライド筒に装着されたガスボンベ８−４が固定筒８−７の中に設けられた摺動自在の、一端と他端が尖頭状になり両方向に貫通するガス道の穴を有するセンターピン８−３を押し出し、前外筒３−１の中に設けられた香料入り蛍光カラー液器３−２の一端を開口、同時にセンターピンストッパのCがセンターピンストッパー受けkにより進行が止められ、ガスボンベ８−４も開口し、同時にレバー７−１のgとノズル６−１をつなぐワイヤ７−５によりノズル６−１が引かれノズル尖端部Iが香料入り蛍光カラー液器３−２の他端を開口する。
高圧ガスがセンターピン８−５の穴bからaへ通り香料入り蛍光カラー液器に流入し、カラー液の液押し出しカップ３−５を押し香料入り蛍光カラー液が一気に銃先端噴射道jを通りhより噴出される香料入りカラー液射撃銃である。
【発明の効果】
【００１２】
本発明の、香料入りカラー液発射銃は、後外筒の左右両外側に設けた突起を軸に設置した発射レバー７−１を回動引き起こすことにより迅速、かつ確実に発射出来、目視しながらの香料入り蛍光カラー液連続噴射のために犯人、または車に対して確実にマーキングする事が出来る
【００１３】
ピストルなど、強力な故にその使用には様々制限があり、その殺傷力のため使用に当たっては様々な問題が生じるが、本発明は、飛び道具として、いつでもどこでも安全に使用でき、色、香りでマーキングすることにより犯人等の検挙に役立つものである。
【００１４】
香料入り蛍光カラー液は、香料入りのため警察犬による追跡には最大の効果を得ることができ、その後万一の場合警棒として護身の役割りをはたすものである。
【図面の簡単な説明】
【００１５】
【図１】本発明の香料入り蛍光カラー液発射銃の後方からの斜視図である。
【図２】同じく縦断面図である。
【図３】スライド部を示す通常時の拡大図である。
【図４】スライド部の発射時の拡大図である。
【図５】香料入り蛍光カラー液噴射口周りの拡大図である。
【図６】ノズル  示す図で（１）は銃前方から見た図で（２）は断面図である。
【図７】発射レバーを示す図で（１）は後外筒に装着した後上方からの斜視図で８−２は後外筒の前半部、３−１は前外筒の後方の一部、（２）発射レバーが後外筒に設置、接合止した時のｘｘ矢視図である。（３）は発射レバーを後外筒に装着した時の下面図である、８−２は後外筒前半部である。
【図８】スライドシステムの各部品図である。（１）はスライド筒（２）は後外筒（３）はセンターピンの斜視図である。
【発明を実施するための形態】
【００１６】
以下、図面に従い本発明を実施するための最良の形態につき詳細を説明する。
前外筒３−１の前栓７−３にノズル６−１を挿入し前栓キャップ７−６を装着し、前栓７−１に前外筒３−１をねじで装着する。
【００１７】
蛍光液器３−２に液押し出しカップ３−５を入れ蛍光液を注入し前外筒３−１内にセットする。
【００１８】
固定筒８−１の後の方からセンターピン８−３を入れ、スライド筒８−１の奥部にガスもれ防止のゴムパッキン８−６を入れ、スライド筒８−１の後裸子部にガスボンベ８−４を固定する。
【００１９】
上記００１７でセットされた固定筒８−７の後の方からこれを飲み込むようにスライド筒８−１を前方に押し込みながらセットする。
【００２０】
後外筒８−２をガスボンベスライド部分をかぶせるように後から前方へ進めスライド筒８−１の突出部ｃｃを切り込みｂｂにはめながら前外筒３−１の後裸子部へ接合し、後外筒８−２の後部へ後外筒栓３−４を装着する。
【００２１】
発射レバー７−１は後外筒８−２の左右両外側に設けられた突起に設置され一端は引板８−５によりスライド筒８−１と接続し、他端はハサミバネになりバネ力により前外筒３−１の後部に暫定的に固定される。
【００２２】
前外筒栓キャップ７−６とノズル６−１にノズル戻しバネｃｃを設置する。ノズルに装着したバネ７−７と発射レバー７−１のｇの間にワイヤ７−５を設置する。
【００２３】
発射時には発射レバー７−１に引かれたワイヤ７−５によりノズル６−１が引かれその先端部Iにより香料入り蛍光カラー液器が開穴される。
【実施例】
【００２４】
発射は、発射レバー７−１のバネ部ｎを指で持ち上げ後外筒の突起ｆを軸に回動し手前に引き起こすことにより行われる。
【００２５】
発射レバー７−１のハサミバネ部ｎを指で引きはずしそのまま引き起こす事により発射レバーの一端と引板８−５によりｃｃ部分にて連結したスライド筒８−１が前進する。
【００２６】
前進したスライド筒８−１に装着されたガスボンベ８−４が固定筒８−７内のセンターピン８−３を押し出し、押し出されたセンターピンがセンターピンストッパーｃで固定筒８−７のセンターピンストッパー受けｋにて止められる。
【００２７】
センターピン尖端部ｂにてガスボンベ８−４が開口され、同時にセンターピン８−３尖端部aで香料入り蛍光カラー液器３−２の後部が開口され、センターピン８−３のセンターピンガス道ｎを通ったガスが注入され、カラー液器内に装着された香料入り蛍光カラー液押し出しカップ３−５が器内の香料入り蛍光カラーを押し。
【００２８】
同時にバネ７−７のｇと発射レバー７−１のｇの間に設置されたワイヤー７−５に引かれたノズル６−１がそのi部で香料入り蛍光カラー液器前部を開口し、その噴射道ｊを通ってｈ噴射口より香料入り蛍光カラー液が噴射される。
【００２９】
前記、００２４〜００２６の一連の発射行為は一瞬に行われる。
発射レバーを元に戻し一端のハサミバネを前外筒３−１に暫定固定することによりスライド筒８−１と、戻しバネeeによりノズル６−１も元に戻り発射は完了する。
【００３０】
本発明による実施形態では、香料入り蛍光カラー液の射程距離は７ｍ位いが最適であるが噴射口をすこし細くすることにより噴射量は細くなるが１０ｍ位の有効射程距離を得ることができる。
【００３１】
発射、使用後は香料入り蛍光カラー液は補充し、ガスボンベは１度使用毎に市販の同規格品を使用する。
【産業上の利用可能性】
【００３２】
本発明の香料入り蛍光カラー液発射銃は小形で携行可能であり、前記００２７記述の如く射撃が一瞬に行われる。もって犯人や逃走車両に対して安全な飛び道具として、いつどこでも使用でき、香料入りカラー液を的確に命中、マーキングし犯人等の追跡と検挙に最大に効果を発揮するものである。
その後万一危急の時警棒として護身の役をはたすものである。
【符号の説明】
【００３３】
１      本発明品
３−１  前外筒
３−２  香料入り蛍光カラー液器
３−４  後外筒栓
３−５  香料入り蛍光カラー液器
６−１  ノズル
６−２  ノズル縦断面図
７−１  発射レバー
７−２  発射レバーｘｘの矢視図
７−３  前外筒の栓
７−４  発射レバー装置下面図
７−５  ワイヤ
７−６  前外筒栓キャップ
７−７  バネ
８−１  スライド筒
８−２  後外筒
８−３  センターピン
８−４  ガスボンベ
８−５  引き板
８−６  パッキン
８−７  固定筒
a      センターピン尖端部
ｂ    センターピン尖端部
ｃ    センターピンストッパー
ｄ    支軸ピン
ｄ    支軸ピン
ｆ    突起
ｇ    ワイヤ取り付け部
ｈ    香料入りカラー液噴射口
ｉ    ノズル尖端部
ｊ    噴射道
ｋ    センターピンストッパー受け
ｂｂ  後外筒割りみぞ
ｃｃ  スライド筒突出部
ｅｅ  ノズル戻しバネ
ｍ    センターピンガス道
ｎ    発射レバーハサミバネ
【図１】
2012137238.tif 000003
【図２】
2012137238.tif 000004
【図３】
2012137238.tif 000005
【図４】
2012137238.tif 000006
【図５】
2012137238.tif 000007
【図６】
2012137238.tif 000008
【図７】
2012137238.tif 000009
【図８】
2012137238.tif 000010